(57)【要約】【課題】三相交流電源から複数の直流電源変換用に二相を取り出し接続する場合に、三相交流電源の位相バランスを崩すことなく接続することができる交流電源ケーブル及び三相交流電源に対する複数の直流電源の接続方法を得る。【解決手段】三極構造の二つのコネクタ１２Ａ、１２Ｂ間に三相分の配線１１のうち二相分をクロスして配線１１Ａを施し、さらに、クロスした配線１１Ａの一方とクロスしなかった残りの一つの配線１１Ｂに引き出し線１３を接続する。これにより、直流電源２を複数個使用した場合に、各直流電源２が三相交流電源１の異なる二相に交互に接続されることになり、各直流電源２が三相交流電源１にバランス良く接続される。この結果、三相交流電源１の交流波形の位相がずれ難くなり、特に直流電源２を二つ以上の偶数個を使用した場合には完全にバランスがとれるので、三相交流電源１の交流波形の位相ずれが略皆無となる。【選択図】      図１
2006228100.tif 000002
【特許請求の範囲】
【請求項１】
三相交流電源（１）に対する複数の直流電源（２）の接続方法であって、
三極構造の二つのコネクタ（１２Ａ、１２Ｂ）間に三相分の配線（１１）のうち二相分をクロスして配線を施し、さらに、クロスした二相分の配線（１１Ａ）の一方とクロスしなかった残りの一相分の配線（１１Ｂ）に直流電源接続用の配線（１３）を接続することを特徴とする三相交流電源（１）に対する複数の直流電源（２）の接続方法。
【請求項２】
三相交流電源（１）に代わって単相交流電源（２０）を使用する場合に、クロスした前記二相分の配線（１１Ａ）間を短絡し、この短絡した配線（１１Ａ）とクロスしなかった前記残りの一相分の配線（１１Ｂ）とを前記単相交流電源（２０）に接続することを特徴とする請求項１に記載の三相交流電源（１）に対する複数の直流電源（２）の接続方法。
【請求項３】
三相交流電源（１）に対する複数の直流電源（２）の接続方法であって、
三極構造の二つのコネクタ（１２Ａ、１２Ｂ）間に一方のコネクタの配線割付に対して他方のコネクタの配線割付を１つずらした三相分の配線（１１）を接続し、さらに、該三相分の配線（１１）のうち、任意の二相分に直流電源接続用の配線（１３）を接続したことを特徴とする三相交流電源（１）に対する複数の直流電源（２）の接続方法。
【発明の詳細な説明】
【技術分野】
【０００１】
本発明は、交流電源から複数のモータ駆動コンベヤ等の直流電源変換用に二相を取り出し接続する用途に好適な三相交流電源に対する複数の直流電源の接続方法に関する。
【背景技術】
【０００２】
従来、交流電源を直流に変換する直流電源を搭載した電子機器が開発されている（例えば、特許文献１参照）。
ところで、複数のモータ駆動コンベヤ等の直流電源を接続する場合、三相交流電源を直流電源に変換するには、三相分の配線のうち、任意の二相分の配線から単相交流を取り出して直流に変換する接続方法が採られている。図４は、そのような接続方法を採った従来例を示す図である。この図に示すように、各直流電源２−１、２−２…が三相交流電源１の任意の二相分の配線に接続されている。すなわち、この図では、直流電源２−１、２−２及び２−４がＳ，Ｔ相の配線間に接続されており、直流電源２−３がＲ，Ｓ相の配線間に接続されている。なお、各直流電源２−１、２−２…には負荷３が接続されている。
【０００３】
【特許文献１】特開平７−４９６６１号公報
【発明の開示】
【発明が解決しようとする課題】
【０００４】
しかしながら、従来の三相交流電源に対する複数の直流電源の接続方法においては、三相交流電源の各相の位相バランスを考慮せずに、各直流電源を三相交流電源に接続した場合、各相の同期がとれなったりして不安定な交流出力となってしまう問題がある。すなわち、位相バランスを考慮した接続を行うと、図５の（ａ）の交流波形に示すように、Ｔ，Ｓ，Ｒの各相が１２０度の位相差を保って同期がとれた状態になるが、位相バランスを無視した接続を行うと、図５の（ｂ）の交流波形に示すように各相間で位相差が生じ、同期がとれなくなる状態になる。図５の（ｂ）はＴ相がずれた場合であり、Ｔ相とＳ相が６０度の位相差、Ｔ相とＲ相が１８０度の位相差、Ｓ相とＲ相が１２０度の位相差となっている。
【０００５】
本発明は、係る事情に鑑みてなされたものであり、三相交流電源から複数の直流電源変換用に２相を取り出し接続する場合に、三相交流電源の位相バランスを崩すことなく接続することができる三相交流電源に対する複数の直流電源の接続方法を提供することを目的とする。
【課題を解決するための手段】
【０００６】
本発明の目的は、下記方法により達成される。
【０００７】
（１）  三相交流電源に対する複数の直流電源の接続方法であって、三極構造の二つのコネクタ間に三相分の配線のうち二相分をクロスして配線を施し、さらに、クロスした二相分の配線の一方とクロスしなかった残りの一相分の配線に直流電源接続用の配線を接続することを特徴とする。
【０００８】
（２）  三相交流電源に代わって単相交流電源を使用する場合に、クロスした前記二相分の配線間を短絡し、この短絡した配線とクロスしなかった前記残りの一相分の配線とを前記単相交流電源に接続することを特徴とする。
【０００９】
（３）  三相交流電源に対する複数の直流電源の接続方法であって、三極構造の二つのコネクタ間に一方のコネクタの配線割付に対して他方のコネクタの配線割付を一つずらした三相分の配線を接続し、さらに、該三相分の配線のうち、任意の二相分に直流電源接続用の配線を接続したことを特徴とする。
【発明の効果】
【００１０】
上記（１）に記載の三相交流電源に対する複数の直流電源の接続方法によれば、二つのコネクタ間の配線を三相分のうち二相分をクロスさせるので、この方法による交流電源ケーブルを直流電源の数分だけ用意して連結することで、各直流電源が三相交流電源の異なる二相に交互に接続されることになり、各直流電源が三相交流電源にバランス良く接続されることになる。これにより、三相交流電源の交流波形の位相がずれ難くなり、特に直流電源を二つ以上の偶数個を使用した場合には、完全にバランスがとれるので、三相交流電源の交流波形の位相ずれが略皆無となる。また、この方法による交流電源ケーブルを直流電源の数分だけ用意して、それらをコネクタ接続するだけで済むので、現場の作業が容易になり、作業コストの削減が可能となる。
【００１１】
上記（２）に記載の三相交流電源に対する複数の直流電源の接続方法によれば、二つのコネクタ間の三相分の配線のうち、クロスさせた二相分の配線を短絡することで、交流電源ケーブルを単相電源用としても使用することができる。
【００１２】
上記（３）に記載の三相交流電源に対する複数の直流電源の接続方法によれば、二つのコネクタ間の配線を、一方のコネクタの配線割付に対して他方を一つずらして配線するので、この方法による交流電源ケーブルを直流電源の数分だけ用意して連結することで、各直流電源が三相交流電源の異なる二相に交互に接続されることになり、各直流電源が三相交流電源にバランス良く接続されることになる。これにより、三相交流電源の交流波形の位相がずれ難くなり、特に直流電源を３の倍数個分使用した場合には、完全にバランスがとれるので、三相交流電源の交流波形の位相ずれが略皆無となる。また、この方法による交流電源ケーブルを直流電源の数分だけ用意して、それらをコネクタ接続するだけで済むので、現場の作業が容易になり、作業コストの削減が可能となる。
【発明を実施するための最良の形態】
【００１３】
以下、本発明を実施するための好適な実施の形態について、図面を参照して詳細に説明する。
【００１４】
（実施の形態１）
図１は、本発明の三相交流電源に対する複数の直流電源の接続方法による実施の形態１に係る交流電源ケーブルの概略構成を示す図である。この図において、本実施の形態の交流電源ケーブル１０は、三相交流電源１に接続する一つの直流電源毎に用意されるものであり、三相分の配線１１と、この配線１１の両端夫々に接続される三極構造のコネクタ１２Ａ、１２Ｂと、コネクタ１２Ａの二相分の配線に接続される引き出し線１３とを有して構成されている。
【００１５】
二つのコネクタ１２Ａ、１２Ｂ間の配線１１においては、図に示すように三相分のうち二相分の配線１１Ａをクロスさせている。また、コネクタ１２Ａに接続する引き出し線１３の配線においては、クロスした二相分の配線１１Ａのうち一つとクロスさせなかった残りの一つの配線１１Ｂとに接続している。この引き出し線１３には交流を直流に変換する直流電源２が接続される。なお、直流電源２の直流出力端には負荷３が接続される。また、コネクタ１２Ａにはオスピンが装着され、コネクタ１２Ｂにはメスピンが装着されており、複数の交流電源ケーブル１０の連結が可能となっている。
【００１６】
本実施の形態の交流電源ケーブル１０は、上述したように一つの直流電源２に対して一つ使用される。例えば図１に示すように三つの直流電源２を使用する場合は、その数に相当する三つの交流電源ケーブル１０を用意し、それらを連結する。また、交流電源ケーブル１０は、三相交流電源１に接続するためのコネクタ１５を備えている。このコネクタ１５には、交流電源ケーブル１０のコネクタ１２Ａと接続するためにメスピンが装着されている。
【００１７】
このような構成の交流電源ケーブル１０において、使用する直流電源２の数だけ接続する場合、まず一つ目の交流電源ケーブル１０のコネクタ１２Ａとコネクタ１５とを接続する。この場合、コネクタ１５に接続された配線の他方の端が三相交流電源１に接続さている。
【００１８】
一つ目の交流電源ケーブル１０のコネクタ１２Ａとコネクタ１５とを接続した後、該交流電源ケーブル１０のコネクタ１２Ａの引き出し線１３に一つ目の直流電源２を接続する。次いで、一つ目の交流電源ケーブル１０のコネクタ１２Ｂと二つ目の交流電源ケーブル１０のコネクタ１２Ａとを接続する。そして、二つ目の交流電源ケーブル１０のコネクタ１２Ａの引き出し線１３に二つ目の直流電源２を接続する。次いで、二つ目の交流電源ケーブル１０のコネクタ１２Ｂと三つ目の交流電源ケーブル１０のコネクタ１２Ａとを接続する。その後、三つ目の交流電源ケーブル１０のコネクタ１２Ａの引き出し線１３に三つ目の直流電源２を接続する。
【００１９】
このように、本実施の形態の交流電源ケーブル１０によれば、二つのコネクタ１２Ａ、１２Ｂ間の配線１１を三相分のうち二相分の配線１１Ａをクロスし、またコネクタ１２Ａに接続する引き出し線１３をクロスした二相分の配線１１Ａのうち一つとクロスさせなかった残りの一つの配線１１Ｂとに接続しているので、直流電源２を複数個使用した場合に、各直流電源２が三相交流電源１の異なる二相に交互に接続されることになり、各直流電源２が三相交流電源１にバランス良く接続されることになる。これにより、三相交流電源１の交流波形の位相がずれ難くなり、特に直流電源２を二つ以上の偶数個を使用した場合には完全にバランスがとれるので、三相交流電源１の交流波形の位相ずれが略皆無となる。また、この交流電源ケーブルを直流電源の数分だけ用意して、それらをコネクタ接続するだけで済むので、現場の作業が容易になり、作業コストの削減が可能となる。
【００２０】
なお、上記実施の形態では、三相交流電源１を使用する場合であったが、単相交流電源でもその一相を二相に分配することで、交流電源ケーブル１０をそのまま用いることが可能となる。具体的には、図２に示すように、交流電源ケーブル１０のクロスさせた二相分の配線１１Ａを短絡させる短絡用の配線１６を設けたコネクタ１５Ａを追加して、単相交流電源２０の一相を二相に分配する。これにより、単相交流電源２０でも使用可能となる。因みに、コネクタ１５内で、交流電源ケーブル１０のクロスさせた二相分の配線１１Ａを短絡させる以外に、交流電源ケーブル１０のコネクタ１２Ａ又は１２Ｂのいずれか一方で、クロスさせた二相分の配線１１Ａを短絡させるようにしても構わない。但し、この場合、単相交流電源専用の交流電源ケーブルが必要となり、その分、交流電源ケーブルを２種類用意する必要が出てくる。
【００２１】
（実施の形態２）
図３は、本発明の三相交流電源に対する複数の直流電源の接続方法による実施の形態２に係る交流電源ケーブルの概略構成を示す図である。なお、この図において、上述した実施の形態１に係る交流電源ケーブル１０と共通する部分には同じ符号を付けている。本実施の形態の交流電源ケーブル３０は、三極構造の二つのコネクタ１２Ａ、１２Ｂ間に、一方のコネクタ１２Ａの配線割付に対して他方のコネクタ１２Ｂの配線割付を一つずらした三相分の配線１１が接続される。また、三相分の配線１１のうち、任意の二相分に直流電源接続用の引き出し線１３が接続される。
【００２２】
二つのコネクタ１２Ａ、１２Ｂ間の配線１１を、一方のコネクタ１２Ａの配線割付に対して他方のコネクタ１２Ｂを一つずらして配線することで、各直流電源２が三相交流電源１の異なる二相に交互に接続されることになり、各直流電源２が三相交流電源１にバランス良く接続されることになる。
【００２３】
このように、本実施の形態の交流電源ケーブル３０によれば、二つのコネクタ１２Ａ、１２Ｂ間の配線１１を、一方のコネクタ１２Ａの配線割付に対して他方のコネクタ１２Ｂを一つずらして配線するようにしたので、この交流電源ケーブル３０を直流電源２の数分だけ用意して連結することで、各直流電源２が三相交流電源１の異なる二相に交互に接続されることになり、各直流電源２が三相交流電源１にバランス良く接続されることになる。これにより、三相交流電源１の交流波形の位相がずれ難くなり、特に直流電源２を３の倍数個分使用した場合には完全にバランスがとれるので、三相交流電源１の交流波形の位相ずれが略皆無となる。また、この交流電源ケーブル３０を直流電源２の数分だけ用意して、それらをコネクタ接続するだけで済むので、現場の作業が容易になり、作業コストの削減が可能となる。
【産業上の利用可能性】
【００２４】
本発明は、三相交流電源から複数の直流電源変換用に二相を取り出し接続する場合に、三相交流電源の位相バランスを崩すことなく接続することができるといった効果を有し、交流電源を直流に変換する直流電源を搭載した電子機器などへの適用が可能である。
【図面の簡単な説明】
【００２５】
【図１】本発明の三相交流電源に対する複数の直流電源の接続方法による実施の形態１に係る交流電源ケーブルの概略構成を示す図である。
【図２】図１の交流電源ケーブルを単相交流電源での使用を可能したコネクタを備えた交流電源ケーブルの概略構成を示す図である。
【図３】本発明の三相交流電源に対する複数の直流電源の接続方法による実施の形態２に係る交流電源ケーブルの概略構成を示す図である。
【図４】従来の三相交流電源に対する複数の直流電源の接続状態を示す図である。
【図５】従来の接続方法による問題点を説明するための図である。
【符号の説明】
【００２６】
１  三相交流電源
２  直流電源
３  負荷
１０、３０  交流電源ケーブルユニット
１１、１３  配線
１２Ａ、１２Ｂ、１５、１５Ａ  コネクタ
２０  単相交流電源
【図１】
2006228100.tif 000003
【図２】
2006228100.tif 000004
【図３】
2006228100.tif 000005
【図４】
2006228100.tif 000006
【図５】
2006228100.tif 000007